(57)【要約】【課題】  稼動中の配管に対して、試片採取機を調節自在に、正確に且つ容易に位置決めを行って固定できる試片採取機位置決め固定装置の提供を課題とする。【解決手段】  被採取体である配管Ｈに対して直接的に取り付け固定される固定基台１００と、固定基台１００上に着脱自在に取り付けられるＸＹＺ移動調節部材２００とを有し、ＸＹＺ移動調節部材２００は試片採取機３００を着脱自在に取り付けると共に固定基台１００に対して前後・左右・上下に位置調節可能とし、固定基台１００は、ＸＹＺ移動調節部材２００を載置状態に取り付けるフラットなテーブル台１１０と、テーブル台１１０の下面に突出して配管Ｈの円周面に跨って着座する一対の着座脚１２０と、テーブル台１１０の下面側において配管Ｈに対してＵ字状に巻付いて締付け自在とすると共にその一対の上端部でテーブル台１１０側に着脱自在に連結される締付け帯１３０とを有する。【選択図】      図１
2007075970.tif 000002
【特許請求の範囲】
【請求項１】
現場に配設された被採取体である配管に対して試片採取機を固定し、位置決め調整を行うための試片採取機位置決め固定装置であって、
前記被採取体である配管に対して直接的に取り付け固定される固定基台と、該固定基台上に着脱自在に取り付けられるＸＹＺ移動調節部材とを有し、該ＸＹＺ移動調節部材は前記試片採取機を着脱自在に取り付けると共に前記固定基台に対して前後・左右・上下に位置調節可能とし、前記固定基台は、前記ＸＹＺ移動調節部材を載置状態に取り付けるフラットなテーブル台と、該テーブル台の下面に突出して前記配管の円周面に跨って着座する一対の着座脚と、前記テーブル台の下面側において配管に対してＵ字状に巻付いて締付け自在とすると共にその一対の上端部でテーブル台側に着脱自在に連結される締付け帯とを有することを特徴とする試片採取機位置決め固定装置。
【請求項２】
ＸＹＺ移動調節部材によるＸＹＺ方向の移動は、配管の円周に対する接線方向のＸ方向移動と、配管の軸と同方向のＹ方向移動と、それらＸ、Ｙ方向に直角なＺ方向移動とからなることを特徴とする請求項１に記載の試片採取機位置決め固定装置。
【発明の詳細な説明】
【技術分野】
【０００１】
本発明は試片採取機位置決め固定装置に関し、より詳しくはプラント等の実機設備の一部として現に実働しているパイプやその他の配管に試片採取機を所定の位置に位置決めして固定し、これによって試片採取機が配管から試片を採取するのを補助するのに供せられる試片採取機位置決め固定装置に関する。
【背景技術】
【０００２】
従来、例えば稼動中の発電用プラント等、比較的苛酷な条件或いは安全性の確保が必要な設備においては、そのような稼動中の設備に実際に使用されている設備構成部材における疲労の具合や寿命等を予測し、適切な時期にメンテナンスを行う必要がある。その一方、稼動中の設備は重要な事態発生等がある場合を除いて、できるだけその稼動を停止することなく継続させることが、安定供給の面や経済面等から要望されるところである。
このため従来における稼動中の実機設備に用いられている設備構成部材の検査は、一般には非破壊検査により行われている。
【０００３】
他方、被採取体から試片を採取する方法としては、被採取体の一部を切り取ったり、削り取ったりする等、物理的に採取することが可能である。が、この場合において、試片採取の方法は、被採取体の方を試片採取機のところへ運んだ上で試片採取するのが一般的であり、試片採取機の方を現場設備のところへ運び、稼動中の設備構成部材から直接的に試片の採取を行うことは、あまり行われていないのが現状であった。
これに対して本願発明に係る発明者は、先の出願にて、現場等に配設されている被採取体から直接的に試片を採取しても、稼動中の被採取体への影響が少ない試片採取機を提案した（特願２００４−２９５２１７号）。
【発明の開示】
【発明が解決しようとする課題】
【０００４】
ところが上記試片採取機を現場で配管等の被採取体に取り付けて試片を採取するといっても、試片採取機を被採取体に容易に取り付け、確実にその位置決めと固定を行うことのできる装置が従来なかった。
【０００５】
そこで本発明は上記従来の問題を解消し、稼動中の設備に用いられている配管に対しても、試片採取機を取り付けて調節自在に、正確に且つ容易に位置決めを行って固定することができる試片採取機位置決め固定装置の提供を課題とする。
【課題を解決するための手段】
【０００６】
上記課題を解決する本発明の試片採取機位置決め固定装置は、現場に配設された被採取体である配管に対して試片採取機を固定し、位置決め調整を行うための試片採取機位置決め固定装置であって、
前記被採取体である配管に対して直接的に取り付け固定される固定基台と、該固定基台上に着脱自在に取り付けられるＸＹＺ移動調節部材とを有し、該ＸＹＺ移動調節部材は前記試片採取機を着脱自在に取り付けると共に前記固定基台に対して前後・左右・上下に位置調節可能とし、前記固定基台は、前記ＸＹＺ移動調節部材を載置状態に取り付けるフラットなテーブル台と、該テーブル台の下面に突出して前記配管の円周面に跨って着座する一対の着座脚と、前記テーブル台の下面側において配管に対してＵ字状に巻付いて締付け自在とすると共にその一対の上端部でテーブル台側に着脱自在に連結される締付け帯とを有することを第１の特徴としている。
また本発明の試片採取機位置決め固定装置は、上記第１の特徴に加えて、ＸＹＺ移動調節部材によるＸＹＺ方向の移動は、配管の円周に対する接線方向のＸ方向移動と、配管の軸と同方向のＹ方向移動と、それらＸ、Ｙ方向に直角なＺ方向移動とからなることを第２の特徴としている。
【発明の効果】
【０００７】
請求項１に記載の発明によれば、被採取体である配管に対して固定基台が取り付けられる。この固定基台に対してＸＹＺ移動調節部材が取り付けられる。そしてこのＸＹＺ移動調節部材に対して試片採取機が取り付けられる。ＸＹＺ移動調節部材を調節移動することで、試片採取機が三次元でその位置を調節され、所定の位置決めがなされる。
前記固定基台の配管への取り付けは、固定基台のテーブル台をその下面の一対の着座脚で配管の上に着座させ、締付け帯で配管の周りをＵ字状に巻付け、その一対の上端部でテーブル台側に連結すると共に巻付けた締付け帯を配管に対して締付けることで、配管上にフラットなテーブル台がその一対の着座脚で安定して着座した状態に取り付け固定される。そして前記ＸＹＺ移動調節部材は前記配管に取り付けられたテーブル台に着脱自在に取り付けることで、テーブル台上に載置された状態にて安定して取り付けがなされる。
よって請求項１に記載の発明によれば、試片採取機を取り付けて位置調節するＸＹＺ移動調節部材を、直接的に被採取体に取り付けるのではなく、固定基台のフラットなテーブル台に載置状態に取り付けるようにしているので、ＸＹＺ移動調節部材の取り付けが非常に容易で且つ安定した状態に取り付けることができる。
しかも被採取体である配管に取り付けられる固定基台は、フラットなテーブル台をその下面に突出する一対の着座脚で配管の円周面に跨って着座させるようにしているので、配管に対する固定基台の取り付けが非常に安定したものとすることができる。
更に固定基台の配管への取り付けは、締付け帯を用いて、これを配管に対してＵ字状に巻付けて締付けることで行うので、円形状の配管に対しても容易に且つ確実に取り付け、取り外しを行うことができる。しかも種々の寸法の配管に対しても、その寸法差を容易に吸収して取り付け、取り外しを行うことができる。
【０００８】
請求項２に記載の発明によれば、上記請求項１に記載の構成による効果に加えて、ＸＹＺ移動調節部材によるＸＹＺ方向の移動は、配管の円周に対する接線方向のＸ方向移動と、配管の軸と同方向のＹ方向移動と、それらＸ、Ｙ方向に直角なＺ方向移動とからなるので、試片採取機の位置決め移動を行う際に、該試片採取機の移動が配管に対する接線方向とそれに直角な配管の軸方向とを基調になされるので、円形状の配管上における試片採取機の位置決めが容易に且つ正確に行える。
【発明を実施するための最良の形態】
【０００９】
以下の図面を参照しながら、本発明の試片採取機位置決め固定装置についての実施の形態を更に説明する。
図１は本発明の実施形態に係る試片採取機位置決め固定装置を配管に取り付けた状態を示す正面図、図２は同試片採取機位置決め固定装置を配管に取り付けた状態を示す平面図、図３は本発明の実施形態に係る試片採取機位置決め固定装置を配管に取り付けた状態を示す右側面図、図４は固定基台を配管に取り付けた状態を示す正面図、図５は同固定基台を配管に取り付けた状態を示す平面図、図６は同固定基台を配管に取り付けた状態を示す右側面図である。図７はＸＹＺ移動調節部材の正面図、図８はＸＹＺ移動調節部材の平面図、図９はＸＹＺ移動調節部材の右側面図、図１０は試片採取機の正面図、図１１は試片採取機の左側面図である。
【００１０】
先ず図１〜図３を参照して、本発明の試片採取機位置決め固定装置は、現場に配設された被採取体である配管Ｈに対して直接的に取り付け固定される固定基台１００と、該固定基台１００上に着脱自在に取り付けられるＸＹＺ移動調節部材２００とを有する。ＸＹＺ移動調節部材２００には、試片採取機３００が着脱自在に取り付けられる。本実施形態においては、試片採取機３００として、被採取体である配管Ｈの表面から薄片を掬い取る薄片掬い取り機が位置決め固定される。
なお図３には試片採取機３００を図示していない。
【００１１】
図４〜図６も参照して、前記固定基台１００は、テーブル台１１０と、そのテーブル台１１０の下面において突出して設けられた一対の着座脚１２０と、締付け帯１３０とを有する。
前記テーブル台１１０はフラットなテーブルとし、その上面に前記ＸＹＺ移動調節部材２００を載置する状態で着脱自在に取り付けて固定するためのテーブルであって、配管Ｈに取り付けられた際に、配管Ｈの軸方向に直角な方向に適当な長さ、例えば配管の直径程度の長さと、配管Ｈの軸方向に適当な幅、例えば前記ＸＹＺ移動調節部材２００を取り付けるのに必要な幅を有する。
テーブル台１１０には、ＸＹＺ移動調節部材２００を着脱自在に取り付けるための螺合ネジ孔１１１が設けられている。
【００１２】
前記一対の着座脚１２０は、前記テーブル台１１０の下面において、テーブル台１１０の長手方向に所定距離だけ離間して設けられ、また同じ寸法だけテーブル台１１０から突出するようにして設けられている。着座脚１２０の記所定距離の離間は、テーブル台１１０を着座脚１２０によって配管Ｈ上に着座させるときに、一対の着座脚１２０が配管Ｈの円周面に跨って着座し、結果としてテーブル台１１０が安定して配管Ｈ上に載置されるような離間距離を、使用が予想される配管Ｈの半径の程度に応じて、予め決めておくことができる。この一対の着座脚１２０の離間距離は、テーブル台１１０に長孔１１２を設けて、着座脚１２０の固定位置を長孔１１２内で変更できるようにして、調節可能にしておくことができる。
また前記着座脚１２０のテーブル台１１０の下面からの突出寸法は、テーブル台１１０を着座脚１２０によって配管Ｈ上に着座させるときに、テーブル台１１０が配管Ｈに当接することなく、配管Ｈから多少浮いた状態になるような突出寸法を、使用が予想される配管Ｈの半径の程度に応じて、予め決めておくことになる。
【００１３】
前記一対の着座脚１２０の外側には連結金具１２１が設けられている。この連結金具１２１に対して前記締付け帯１３０が着脱自在に連結される。
締付け帯１３０は、配管Ｈに対してＵ字形状に巻付くと共に、一対の上端部の引掛け金１３１で、前記連結金具１２１に引っ掛けられることで着脱自在に連結される。
締付け帯１３０による配管Ｈに対する締付け及び緩めは調節部１３２で行うことができる。
【００１４】
以上のようにな構成からなる固定基台１００は、一対の着座脚１２０で配管Ｈの円周面に跨って着座され、締付け帯１３０で締付けられることで、配管Ｈ上にフラットなテーブル台１１０を安定して提供することができる。また必要に応じて締付け帯１３０を緩めることで、固定基台１００を配管Ｈに取り付けたまま、配管の軸方向にもスライド移動させることができる。
【００１５】
図７〜図９も参照して、前記ＸＹＺ移動調節部材２００は、前記固定基台１００に着脱自在に固定される固定ステージ２１０と、該固定ステージ２１０上をスライドするＸステージ２２０と、該Ｘステージ２２０上をスライドするＹステージ２３０と、該Ｙステージ２３０と前記Ｘステージ２２０に対して直角な方向にスライドするＺステージ２４０とを有する。
【００１６】
前記固定ステージ２１０は、固定ネジ２１１をテーブル台１１０の螺合ネジ孔１１１に螺合することで、固定基台１００に固定される。
固定ステージ２１０には、Ｘステージ２２０のスライド移動をガイドするＸステージスライドガイド２１２が設けられている。またＸステージ２２０のスライド移動を行わせるＸ方向スライド調節ボルト２２１を軸受けする軸受体２１３が立設固定されている。
【００１７】
前記Ｘステージ２２０には、前記Ｘ方向スライド調節ボルト２２１と螺合する雌螺子体２２２が立設固定されている。またＹステージ２３０のスライド移動をガイドするＹステージスライドガイド２２３が設けられている。また後述するＹステージスライド調節ボルト２３１を軸受けする軸受体２２４が立設されている。更にＸステージ２２０が固定ステージ２１０上をスライドし、且つ脱落しないようにするための長孔２２５と遊嵌ネジ２２６との組み合わせが設けられている。
前記Ｘ方向スライド調節ボルト２２１を回転操作することで、それに螺合する雌螺子体２２を介して、Ｘステージ２２０が固定ステージ２１０及び固定基台１００の長手方向であるＸ方向にスライドする。Ｘ方向における進退及び移動量は前記Ｘ方向スライド調節ボルト２２１の回転方向及び回転量によって決まる。
前記Ｘ方向は、前記固定基台１００のテーブル台１１０が着座脚１２０及び締付け帯１３０により配管Ｈに固定された状態において、配管Ｈの円周に対する接線方向となる。
【００１８】
前記Ｙステージ２３０には、Ｙ方向スライド調節ボルト２３１と螺合する雌螺子体２３２が立設固定されている。またＹステージ２３０がＸステージ２２０上をスライドし、且つ脱落しないようにするための長孔２３３と遊嵌ネジ２３４との組み合わせが設けられている。
更にＹステージ２３０には、Ｚステージ２４０をスライド移動させるための垂直壁２３５が設けられている。
そして該垂直壁２３５には、Ｚステージ２４０のスライド移動をガイドする凸条からなるＺステージスライドガイド２３６が外面に設けられている。また後述するＺ方向スライド調節ボルト２４１を軸受けする軸受体２３７が立設されている。更にＺステージ２４０が垂直壁２３５面上をスライドし、脱落しないようにするための長孔２３８と遊嵌ネジ２３９との組み合わせが設けられている。
前記Ｙ方向スライド調節ボルト２３１を回転操作することで、それに螺合する雌螺子体２３２を介してＹステージ２３０が、Ｘステージ２２０の短手方向であるＹ方向、即ち配管Ｈの軸方向にスライドする。
【００１９】
前記Ｚステージ２４０には、Ｚ方向スライド調節ボルト２４１と螺合する雌螺子体２４２が立設固定されている。またＺステージ２４０の裏面側に、前記Ｙステージ２３０の垂直壁２３５に設けられたＺステージスライドガイド２３６に対して摺動自在に嵌り合うガイド受け２４３が設けられている。
前記Ｚ方向スライド調節ボルト２４１を回転操作することで、雌螺子体２４２を介してＺステージ２４０が、Ｘ方向及びＹ方向に直角なＺ方向にスライドする。
【００２０】
前記Ｚステージ２４０には、試片採取機３００を取り付けるための取付フレーム２４４が取り付けられる。この取付フレーム２４４は途中で直角に曲がったＬ字形状をなしている。取付フレーム２４４には試片採取機３００を載置する載置台２４５が取り付けられる。
前記取付フレーム２４４はＺステージ２４０に対して回転可能に枢支される形で取り付けられる。即ち、Ｚステージ２４０に自転が可能な回転軸体２４６が取り付けられ、この回転軸体２４６に対してＬ字形状の取付フレーム２４４がその基端側半部で固定される。
前記回転軸体２４６の回転角度は、一対の回転角度調節手段である回転角度調節ボルト２４７によって、前記回転軸体２４６のレバー２４６ａの回動位置を調節することで調節される。前記一対の回転角度調節ボルト２４７は、取付フレーム２４４に立設固定された一対の雌螺子体２４８に螺合された様態に保持されている。
一対の回転角度調節ボルト２４７を回すことで、該一対の回転角度調節ボルト２４７が一対の雌螺子体２４８に対して進退し、レバー２４６ａを両側から押すかたちで、該レバー２４６ａの回動位置を調節し、位置決めして固定する。この位置決め固定されたレバー２４６ａの位置によって、回転軸体２４６の回転角度が決まり、よって取付フレーム２４４の回転角度位置が決まる。本実施形態の場合は、前記回転軸体２４６はＹ方向に一致しており、よって取付フレーム２４４はＹ方向を軸とした回転によってその回転角度位置が調節される。なお、前記一対の回転角度調節ボルト２４７による回転角度位置の調節範囲は１５度程度である。
【００２１】
前記Ｌ字形状の取付フレーム２４４の先端側半部に対して載置台２４５が回転可能に枢支される形で取り付けられる。即ち、取付フレーム２４４の先端側半部に対して自転が可能な回転軸体２４４ａが取り付けられ、この回転軸体２４４ａに対して載置台２４５がその先端部で固定される。
前記回転軸体２４４ａの回転角度は、一対の回転角度調節手段である回転角度調節ボルト２４４ｃによって、前記回転軸体２４４ａのレバー２４４ｂの回動位置を調節することで調節される。前記一対の回転角度調節ボルト２４４ｃは、取付フレーム２４４の先端側半部に立設固定された一対の雌螺子体２４４ｄに螺合された様態に保持されている。
一対の回転角度調節ボルト２４４ｃを回すことで、該一対の回転角度調節ボルト２４４ｃが一対の雌螺子体２４４ｄに対して進退し、レバー２４４ｂを両側から押すかたちで、該レバー２４４ｂの回動位置を調節し、位置決めして固定する。この位置決め固定されたレバー２４４ｂの位置によって、回転軸体２４４ａの回転角度が決まり、よって試片採取機３００の回転角度位置が決まる。本実施形態の場合は、前記回転軸体２４４ａはＸ方向に一致しており、よって試片採取機３００はＸ方向を軸とした回転によってその回転角度位置が調節される。なお、前記一対の回転角度調節ボルト２４４ｃによる回転角度位置の調節範囲は１５度程度である。
【００２２】
以上の構成によって試片採取機３００は、ＸＹＺ移動調節部材２００に取り付けられた状態で、相互に直角なＸ方向、Ｙ方向、Ｚ方向での位置調節、及びＹ方向を枢軸とした回転角度位置調節とＸ方向を枢軸とした回転角度位置調節をなすことが可能となる。
【００２３】
図１０、図１１も参照して、前記試片採取機３００は、本実施形態では放電加工用電極を用いた薄片からなる試片を配管Ｈの表面から掬い取る装置としている。
即ち試片採取機３００は、放電加工用電極３１０と、該放電加工用電極３１０を着脱自在に取り付けることができる電極ホルダー３２０と、該電極ホルダー３２０を保持するアーム部３３０と、該アーム部３３０を回転軸Ｐの回りに回転させる回転駆動手段３４０を有する。
【００２４】
前記回転駆動手段３４０は、サーボモータ等のモータで構成されている。この回転駆動手段３４０は前記載置台２４５上に載置されて固定される。
回転駆動手段３４０の回転駆動軸３４１には、その先端に回転基台３４２が固定されて、回転駆動軸３４１と共に回転される。回転基台３４２はその中心で前記回転駆動軸３４１と固定され、その回転は自転となる。前記回転駆動軸３４１の回転範囲は、一定の角度範囲に規制される。
アーム部３３０は前記回転駆動手段３４０の回転駆動軸３４１の回転により、該回転駆動軸３４１と同軸の回転軸Ｐの回りに回転されると共に、回転軸Ｐに直角な方向にスライド可能に構成される。
アーム部３３０は、細長い長方体形状のアーム状に形成された本体３３１の一面側にスライド子３３２を固定し、他面側に絶縁ブロック３３３を介して電極ホルダー３２０を保持している。
前記スライド子３３２に対して、前記回転基台３４２には図示しないスライドガイドが設けられている。そしてこのスライドガイドと前記スライド子３３２とが相互に摺動可能に嵌合される。これによってアーム部３３０は回転軸Ｐに直角な方向にスライド可能とされる。
前記アーム部３３０は、付勢バネ３３４により回転軸Ｐに直角な方向に付勢されている。
【００２５】
一方、前記アーム部３３０の本体３３１の上部には、先端部にローラ３３５ａを設備したならいボルト３３５を取り付けている。そしてこのならいボルト３３５に対応して、前記回転駆動手段３４０の壁に突出する形でならいガイド３５０を設けている。
前記ならいボルト３３５はアーム部３３０の回転軸Ｐと平行に設けられ、その先端のローラ３３５ａが前記ならいガイド３５０の下面に構成されたガイド面３５１に対して当接されている。ローラ３３５ａは前記付勢バネ３３４によってガイド面３５１に押された状態で、アーム部３３０の回転に伴ってガイド面３５１を円周方向に移動してゆく。
アーム部３３０の回転中における回転軸Ｐに直角な方向でのスライド位置が決められ、これによってアーム部３３０のアーム長さが調節される。即ち、アーム部３３０の回転中における回転軸Ｐから放電加工用電極３１０が保持された位置までのアーム長さが調節される。回転中にアーム長さが調節されることで、放電加工用電極３１０の軌跡が調節される。
【００２６】
前記電極ホルダー３２０は、絶縁ブロック３３３を介してアーム部３３０に保持される。電極ホルダー３２０には、放電加工用電極３１０を挟み込む形で着脱自在に保持する把持部３２１が設けられている。放電加工用電極３１０は把持部３２１の取付溝３２１ａに嵌め込まれ、蓋３２１ｂで締付けることで、挟持される。
電極ホルダー３２０は前記アーム部３３０が回転することで、回転軸Ｐの回りを公転する。
【００２７】
前記放電加工用電極３１０はフレーム形状の電極とし、回転方向に直角（回転軸Ｐに平行）な方向に一定の幅Ｗを持つように構成している。放電加工用電極３１０は、より具体的には、前記幅Ｗを構成する幅部３１０ａと、該幅部３１０ａの両端からの立上がり部３１０ｂとを有するフレーム形状としている。このようなフレーム形状の電極がアーム部３３０の回転に伴って描く軌跡がその途中で被採取体である配管Ｈと交わるときに、前記幅部３１０ａや立上がり部３１０ｂと近接して対峙する被採取体Ｈの部分が放電により消耗、消滅し、一方、フレームで囲まれた内空間に対応する被採取体Ｈ部分は消耗、消滅されることがないので、結果として被採取体Ｈから、幅Ｗの試片Ｓが掬い取られる。
【００２８】
前記ならいガイド３５０のガイド面３５１は、全体として円弧面状に構成すると共に、その途中位置をその前後の位置よりも深く切り込んだ曲面とし、前記深く切り込んだ曲面位置をローラ３３５が通る間においては、放電加工用電極３１０の回転のアーム長さが短くなるようにしている。従って、この場合に放電加工用電極３１０の軌跡は、最初と最後が円弧状で、途中が略直線状を呈する舟形の軌跡となる。その結果、被採取体Ｈの水平な表面から幅が略Ｗの舟形の試片Ｓを掬い取ることができる。舟形の試片Ｓの場合、試片Ｓの厚みを一定とすることが可能であるので、後の機械的試験やその他の試験を行うような場合の試片の調整が容易である。また被採取体Ｈにとっては掬い取られる深さが、例えば円弧状に掬い取られる場合に比べて十分に浅くなるので、該被採取体Ｈが例え稼動中の設備の一部として現に実働している場合であっても、その材料としての強度やその他の面での危険負担を最小限に抑えることができる。
【図面の簡単な説明】
【００２９】
【図１】本発明の実施形態に係る試片採取機位置決め固定装置を配管に取り付けた状態を示す正面図である。
【図２】同試片採取機位置決め固定装置を配管に取り付けた状態を示す平面図である。
【図３】同試片採取機位置決め固定装置を配管に取り付けた状態を示す右側面図である。
【図４】固定基台を配管に取り付けた状態を示す正面図である。
【図５】同固定基台を配管に取り付けた状態を示す平面図である。
【図６】同固定基台を配管に取り付けた状態を示す右側面図である。
【図７】ＸＹＺ移動調節部材の正面図である。
【図８】ＸＹＺ移動調節部材の平面図である。
【図９】ＸＹＺ移動調節部材の右側面図である。
【図１０】試片採取機の正面図である。
【図１１】試片採取機の左側面図である。
【符号の説明】
【００３０】
１００    固定基台
１１０    テーブル台
１１１    螺合ネジ孔
１１２    長孔
１２０    着座脚
１２１    連結金具
１３０    締付け帯
１３１    引掛け金
１３２    調節部
２００    ＸＹＺ移動調節部材
２１０    固定ステージ
２１１    固定ネジ
２１２    Ｘステージスライドガイド
２１３    軸受体
２２０    Ｘステージ
２２１    Ｘ方向スライド調節ボルト
２２２    雌螺子体
２２３    Ｙステージスライドガイド
２２４    軸受体
２２５    長穴
２２６    遊嵌ネジ
２３０    Ｙステージ
２３１    Ｙ方向スライド調節ボルト
２３２    雌螺子体
２３３    長孔
２３４    遊嵌ネジ
２３５    垂直壁
２３６    Ｚステージスライドガイド
２３７    軸受体
２３８    長穴
２３９    遊嵌ネジ
２４０    Ｚステージ
２４１    Ｚ方向スライド調節ボルト
２４２    雌螺子体
２４３    ガイド受け
２４４    取付フレーム
２４４ａ  回転軸体
２４４ｂ  レバー
２４４ｃ  回転角度調節ボルト
２４４ｄ  雌螺子体
２４５    載置台
２４６    回転軸体
２４６ａ  レバー
２４７    回転角度調節ボルト
２４８    雌螺子体
３００    試片採取機
３１０    放電加工用電極
３１０ａ  幅部
３１０ｂ  立上がり部
３２０    電極ホルダー
３２１    把握部
３２１ａ  取付溝
３２１ｂ  蓋
３３０    アーム部
３３１    本体
３３２    スライド子
３３３    絶縁ブロック
３３４    付勢バネ
３３５    ならいボルト
３３５ａ  ローラ
３４０    回転駆動手段
３４１    回転駆動軸
３４２    回転基台
３５０    ならいガイド
３５１    ガイド面
Ｈ        配管（被採取体）
Ｐ        回転軸
Ｓ        試片
Ｗ        幅
【図１】
2007075970.tif 000003
【図２】
2007075970.tif 000004
【図３】
2007075970.tif 000005
【図４】
2007075970.tif 000006
【図５】
2007075970.tif 000007
【図６】
2007075970.tif 000008
【図７】
2007075970.tif 000009
【図８】
2007075970.tif 000010
【図９】
2007075970.tif 000011
【図１０】
2007075970.tif 000012
【図１１】
2007075970.tif 000013